(57)【要約】ここに記載されているのは、例えば内燃機関における排ガス後処理システムを制御する方法および装置である。ここでは排ガス後処理システムの状態を特徴付ける状態量が求められる。排ガス後処理システムの温度は、この排ガス後処理システムおよび／または内燃機関の状態に依存して制御および調整される。
2004512466.tif 000002
【特許請求の範囲】
【請求項１】
例えば内燃機関における排ガス後処理システムを制御する方法であって、
該排ガス後処理システムの状態を特徴付ける少なくとも１つの状態量を求め、
該状態量に依存して特別モード状態を開始する形式の、内燃機関における排ガス後処理システムを制御する方法において、
排ガス後処理システムの温度を、当該排ガス後処理システムおよび／または内燃機関の状態に依存して制御または調整することを特徴とする、
排ガス後処理システムを制御する方法。
【請求項２】
前記特別モードを少なくとも２つのフェーズに分割する、
請求項１に記載の方法。
【請求項３】
前記特別モード状態では排ガスに未燃焼の燃料を供給する、
請求項１または２に記載の方法。
【請求項４】
第１フェーズでは排ガスでは未燃焼の燃料の量は、時間の経過と共に増大し、
第２フェーズでは排ガスにおける未燃焼の燃料の量は、一定値をとる、
請求項１から３までのいずれか１項に記載の方法。
【請求項５】
第１および／第２フェーズの持続時間をあらかじめ設定する、
請求項１から４までのいずれか１項に記載の方法。
【請求項６】
再生が開始された場合、第２フェーズを終了する、
請求項１から５までのいずれか１項に記載の方法。
【請求項７】
第３フェーズでは未燃焼の燃料の量を、一時的に前記一定値に設定する、
請求項１から６までのいずれか１項に記載の方法。
【請求項８】
前記一定値を、回転数、噴射すべき燃料量および／または排ガス後処理システムの手前の温度に依存して設定する、
請求項１から７までのいずれか１項に記載の方法。
【請求項９】
排ガス後処理システムの手前および後方の温度および／または排ガス組成に基づいて再生の開始を識別する、
請求項１から８までのいずれか１項に記載の方法。
【請求項１０】
例えば内燃機関における排ガス後処理システムを制御する装置であって、
該排ガス後処理システムの状態を特徴付ける少なくとも１つの状態量が求められ、
該状態量に依存して特別モード状態が開始される形式の、内燃機関における排ガス後処理システムを制御する装置において、
排ガス後処理システムの温度を、当該排ガス後処理システムおよび／または内燃機関の状態に依存して制御または調整する手段が設けられていることを特徴とする、
内燃機関における排ガス後処理システムを制御する装置。
【発明の詳細な説明】
【０００１】
従来の技術
本発明は、例えば内燃機関における排ガス後処理システムを制御する方法および装置に関する。
【０００２】
内燃機関の排ガス後処理システムを制御する方法および装置は、例えばＤＥ１９９０６２８７から公知である。そこでは排ガス後処理システムは、少なくとも１つの微粒子フィルタを含んでおり、この微粒子フィルタは、例えば直接噴射形の内燃機関に使用される。この方法では、排ガス後処理システムの状態を特徴付ける状態量が検出される。この従来技術ではこの状態量は、微粒子フィルタの被着（Ｂｅｌａｄｕｎｇ）である。この状態量、すなわち微粒子フィルタの被着が所定の値を上回ると、微粒子フィルタを適切な手段によって再生する特別モード状態が上記の装置によって開始される。例えば、付加的な燃料が排ガス路（Ａｂｇａｓｔｒａｋｔ）に達し、この燃料が酸化触媒コンバータにおいて酸化され、これによって排ガス温度を上昇させるのである。
【０００３】
微粒子フィルタの再生を開始および／または実行するためには、付加的な燃料が必要であり、この燃料は、排ガス路の付加的な調量装置か、または燃料噴射のためのふつうの調整素子のいずれかによって調量される。不利であるのは、このような再生によって燃料消費が増大することである。さらに、この微粒子フィルタの排ガス温度が、再生に起因して不許容の高い値まで上昇してしまう可能性がある。
【０００４】
発明の利点
排ガス後処理システム、殊に微粒子フィルタにおける温度を、排ガス後処理システムの状態および内燃機関の状態に依存して所定の値に制御または調整することにより、特別モード状態における付加的な燃料消費を格段に低減することが可能である。さらに特別モード状態に必要な温度を確実な状態に維持することができる。値が小さ過ぎるまたは大き過ぎる温度偏差は発生しないのである。
【０００５】
このために、排ガス後処理システムの温度、殊に微粒子フィルタの温度の制御が、排ガス後処理システムおよび内燃機関の状態に依存して行われる。１実施形態では、微粒子フィルタの手前の実際の温度を帰還結合せずに、微粒子フィルタの手前の温度を単に推定するか、または別の判定基準に基づいて、再生が終了したか否かを決定する。例えば、内燃機関の排ガス温度に相応する酸化触媒コンバータの手前の温度を、重要な量として考慮する。この量は、測定することも、また殊に有利には負荷および回転数などの別の動作特性量から決定することも共に可能である。
【０００６】
殊に有利であるのは、上記の制御がつぎのように構成された実施形態であり、ここでは微粒子フィルタの手前の温度が測定され、目標値と比較され、この比較から付加的な燃料量が決定される。
【０００７】
殊に有利であるのは、特別モード状態を少なくとも２つのフェーズに分割する場合である。有利には第１フェーズにおいて排ガスにおける未燃料の燃料の量は、時間の経過と共に増大する。第２フェーズにおいて酸化触媒コンバータの手前の排ガスにおける未燃焼の燃料の量は一定値をとる。
【０００８】
このような手段によって達成することができるのは、温度が所望の関数にしたがって、すなわち速すぎずまたは遅すぎずに上昇することである。有利には、温度が一定値をとるか、または制御量に追従して、微粒子フィルタの手前の温度が内燃機関の動作状態が変化しても一定のままになるようにする。上昇が遅すぎると、特別モード状態が長く持続しすぎる。上昇が速すぎると、微粒子フィルタが損傷してしまうことがあり、また未燃焼の燃料が周囲外気に到達し得るのである。
【０００９】
第１および／または第２フェーズの長さをあらかじめ設定することによって、付加的な燃料量を極めて良好に目下の動作状態に適合させることが可能である。
【００１０】
再生が開始された場合に第２フェーズを終了することによって、一方では再生を加速することができ、他方では燃料の消費をさらに最小化することができる。
【００１１】
殊に有利であるのはつぎような発展形態である。すなわちここでは第３フェーズにおいて未燃焼の燃料の量を一時的に一定値に、有利には第２フェーズの値に設定する。
【００１２】
図面
本発明を以下、図面に示した実施形態に基づいて説明する。図１は、本発明の装置のブロック図を示しており、図２は本発明の方法の流れ図を示しており、図３は、付加的な量の時間経過を示している。
【００１３】
実施例の説明
図１には内燃機関の排ガス後処理システムの重要な要素が示されている。内燃機関は参照符号１００で示されている。この内燃機関にはフレッシュエアー管路１０５を介してフレッシュエアーが供給される。内燃機関１００の排ガスは、排ガス管路（Ａｂｇａｓｌｅｉｔｕｎｇ）１１０を介して周囲外気に達する。排ガス管路には排ガス後処理システム１１５が配置されており、これは図示の実施形態において触媒コンバータ１１５ａおよび微粒子フィルタ１１５ｂを含んでいる。さらに、相異なる有害物質に対して別個の触媒コンバータを設けるか、または少なくとも１つの触媒コンバータと微粒子フィルタとを組み合わせることが可能である。
【００１４】
さらに制御ユニット１７０が設けられており、これには少なくとも１つのエンジン制御ユニット１７５および排ガス後処理制御ユニット１７２が含まれている。エンジン制御ユニット１７５は、燃料調量システム１８０に制御信号を供給する。排ガス後処理制御ユニット１７２は、エンジン制御ユニット１７５に、また１実施形態では調整素子１８２に制御信号を供給し、ここでこの調整素子は、排ガス管路において排ガス後処理システムの手前に、または排ガス後処理システムに配置されている。
【００１５】
さらに種々のセンサが設けられており、これらは排ガス後処理制御ユニットおよびエンジン制御ユニットに信号を供給する。ここでは少なくとも１つの第１センサ１９４が設けられており、このセンサにより、この内燃機関に供給される空気の状態を特徴付ける信号が供給される。第２センサ１７７により、燃料調量システム１８０の状態を特徴付ける信号が供給される。少なくとも１つの第３センサ１９１により、排ガス後処理システムの手前の排ガスの状態を特徴付ける信号が供給される。少なくとも１つの第４センサ１９３により、排ガス後処理システム１１５の状態を特徴付ける信号が供給される。さらに少なくとも１つのセンサ１９２により、排ガス後処理システムの後方の排ガスの状態を特徴付ける信号が供給される。有利には、温度値および／または圧力値を検出するセンサが使用される。さらに、排ガスおよび／またはフレッシュエアーの化学的組成を特徴付けるセンサも使用可能である。ここでこれらは例えば、ラムダセンサ、ＮＯＸセンサまたはＨＣセンサである。
【００１６】
第１センサ１９４、第３センサ１９１、第４センサ１９３および第５センサ１９の出力信号は、有利には排ガス後処理制御ユニット１７２に供給される。第２センサ１７７の出力信号は、有利にはエンジン制御ユニット１７５に供給される。さらに図示しない別のセンサを設けることも可能であり、これらのセンサにより、ドライバの望みに関する信号または別の周囲状態またはエンジン動作状態を特徴付ける信号が供給される。
【００１７】
殊に有利であるのは、エンジン制御ユニットと排ガス後処理制御ユニットとが構造上の１ユニットを構成する場合である。しかしながらこれらは、空間的に互いに分割された２つの制御ユニットとして構成することも可能である。
【００１８】
以下では本発明の手段を、例えば直接噴射形の内燃機関において使用される微粒子フィルタの例で説明する。しかしながら本発明の手段は、この適用に限定されるのはなく、排ガス後処理システムを有する別の内燃機関においても使用可能である。例えば本発明の手段は、触媒コンバータおよび微粒子フィルタが組み合わされている排ガス後処理システムにおいて使用可能である。さらに、気体状の排ガス成分に対する１つまたは複数の蓄積要素および／または１つまたは複数の触媒コンバータだけを有するシステムに使用することができる。
【００１９】
上記のセンサ信号に基づいて、エンジン制御部１７５により、燃料調量システム１８０に供給する制御信号が計算される。つぎにこの燃料調量システムによって、相応する内燃機関１００の燃料が調量される。燃焼の際には排気ガスに微粒子が発生することがある。これらの微粒子は、排ガス後処理システムの微粒子フィルタ１１５によって吸収される。動作が行われるうちに微粒子フィルタ１１５に相応する量の微粒子が蓄積する。これによってこの微粒子フィルタおよび／または内燃機関の動作が損なわれる。したがって所定の間隔で、ないしは微粒子フィルタが所定の被着状態に達した場合に再生過程が開始されるのである。この再生は、特別モードと称されることもある。
【００２０】
上記の被着状態は、例えば種々異なるセンサ信号に基づいて識別される。１つには微粒子フィルタ１１５の入力側と出力側との間の圧力差を評価することができる。別の１つとしては被着状態を種々異なる温度値および／または種々異なる圧力値に基づいて求めることが可能である。さらに別の量を使用して被着状態を計算またはシミュレーションすることもできる。相応する手段は、例えば、ＤＥ１９９０６２８７から公知である。
【００２１】
微粒子フィルタが所定の被着状態に達したことが排ガス後処理制御ユニットによって識別されると、再生が開始される。微粒子フィルタを再生するためには種々の手段が利用可能である。まずつぎのようにすることが可能である。すなわち調整素子１８２を介して所定の複数の物質を排ガスに供給し、つぎに排ガス後処理システム１１５においてこれらの物質を相応に反応させることが可能である。付加的に調量されるこれらの物質によって、例えば、微粒子フィルタにおける温度上昇および／または微粒子の酸化が発生する。例えば、調整素子１８２によって燃料および／または酸化剤を供給することができる。
【００２２】
１実施形態では、相応する信号をエンジン制御ユニット１７５に伝達し、このエンジン制御ユニットによっていわゆる後噴射（Ｎａｃｈｅｉｎｓｐｒｉｔｚｕｎｇ）、殊に遅い後噴射を行うようにすることが可能である。この後噴射によって、炭化水素を所期のように排ガスに生じさせることができ、これらの炭化水素が、温度上昇を介して排ガス後処理システム１１５の再生に寄与するのである。
【００２３】
通例、被着状態は種々異なる量に基づいて決定される。閾値との比較によって、種々異なる状態が識別され、識別した被着状態に依存して再生が開始される。
【００２４】
図示の実施形態では、排ガス後処理システム１１５は酸化触媒コンバータ１１５ａならびに後置接続された微粒子フィルタ１１５ｂを有する。触媒コンバータの手前の温度ＴＶは、有利にはセンサ１９１によって検出される。微粒子フィルタの手前の温度に相応する、触媒コンバータの後方の温度ＴＮはセンサ１９３によって検出される。さらにセンサ１９２が設けられており、このセンサによって、微粒子フィルタ１１５ｂの入力側と出力側との間の差分圧力が求められる。さらに装置１８２が設けられており、この装置によって燃料が排ガス路、殊に酸化触媒コンバータの手前の排ガス管路１１０に入れられる。これとは択一的につぎのようにすることも可能である。すなわち、調整素子１８０を適切に駆動制御することにより、燃焼室を介して燃料が排ガス路に到達するようにすることも可能である。重要であるのは、未燃焼の燃料が酸化触媒コンバータに到達することである。ここでは、酸化触媒コンバータにて変換することの可能な不完全燃焼の燃料も未燃焼の燃料と称する。
【００２５】
温度および圧力差に関する種々異なる量は、図示のセンサによって検出できるか、または制御ユニット１７０にある別の測定値および／または制御信号に基づいて制御ユニット１７０により、計算および／またはシミュレーションすることができる。
【００２６】
排ガス路に入れられた燃料量は酸化触媒コンバータにおいて反応し、そこで有利には炎のない燃焼（ｆｌａｍｍｅｎｆｒｅｉｅ Ｖｅｒｂｒｅｎｎｕｎｇ）で燃焼する。これによって、酸化触媒コンバータ１１５ａの後方の温度が上昇する。本発明ではつぎのような燃料量を調量する。すなわち、微粒子フィルタの再生に必要な値にまで温度を上昇させる燃料量を調量するのである。微粒子フィルタの再生は所定の値を上回る温度において行われ、ここでこの値は、排ガス後処理システムの構成およびフィルタにおける微粒子層の状態に依存して約３００℃〜約６５０℃の間にある。
【００２７】
排ガス温度が高すぎると、微粒子フィルタが過熱によって損傷される事態が発生し得る。これが殊に問題であるのは、大きな微粒子量がフィルタで変換され、これがさらなる温度上昇に結び付く場合である。他方で排ガス温度が低すぎるおよび／または排ガスにおいてガス体積体流（Ｇａｓｖｏｌｕｍｅｎｓｔｒｏｍ）が大きすぎる場合、酸化触媒コンバータにおいて燃料の一部だけしか変換されず、残りが未燃焼で周囲外気に到達してしまうのである。
【００２８】
以下では本発明の手段を図２の流れ図に基づいて説明する。第１ステップ２００では微粒子フィルタの被着状態が決定される。すなわち、排ガス後処理システムの状態を特徴付ける状態量Ｐが求められる。この状態量により、微粒子フィルタ１１５ｂに蓄積されたすす質量が特徴付けられる。状態量Ｐの決定は、種々異なるやり方で行うことが可能である。例えば、これらの状態量を、内燃機関の種々異なる動作パラメタおよび別の量に基づいてシミュレーションすることができる。例えば、これらの状態量を、噴射された燃料量、回転数および別の量に基づいて、時間について積分することが可能である。このために、動作点毎に形成されるすす質量を特性マップから読み出して累計する。別の有利な実施形態では、微粒子フィルタの両端における圧力損失が測定される。このために有利には差分圧力センサが使用され、ここでこのセンサにより、微粒子フィルタの入力側と出力側との間の差分圧力に相応する圧力量が供給される。
【００２９】
引き続いての判定２１０でチェックされるのは、状態量Ｐが閾値ＰＳＷよりも大きいか否かである。大きい場合、微粒子フィルタの再生が必要である。そうでない場合、新たにステップ２００が実行される。
【００３０】
再生が必要な場合、判定２１０が続いて実行される。この判定２１０でチェックされるのは、再生に有利な動作点であるか否かがチェックされる。有利な動作点とは、排ガス温度が小さすぎる値をとらず、かつガス流が大きすぎる値をとらない動作点である。このような動作点になるのは有利には、噴射された燃料量が大きな値をとり、最も簡単な実施形態において、噴射された燃料量ＱＫが閾値ＱＫＳＷよりも大きいか否かがチェックされる場合である。さらに、噴射された燃料量ＱＫとガス流とからなる商が、所定の閾値よりも大きいことがチェックされるようにすることも可能である。大きくない場合、新たにステップ２００に進む。
【００３１】
動作点が有利な場合、ステップ２３０に進み、ここで再生が開始される。判定２１０および２２０とは択一的に別の手段を使用して、再生を実行すべきか否かを決定することが可能である。例えば、２つの判定２１０および２２０の時間的な順序を交替することが可能である。さらに別の判定を設けて、例えば、部分的な被着時には、動作点が有利である場合にだけ再生を行うようにすることもできる。状態量が、これらの状態量に対する閾値を大きく上回る値に達した場合には、動作点に依存せずに再生が開始される。
【００３２】
ステップ２３０では酸化触媒コンバータの手前の温度ＴＶが求められる。このために温度ＴＶは、内燃機関の種々異なる動作パラメタに依存して特性マップに格納されている。殊に有利であるのは、ここで回転数Ｎおよびエンジン負荷を考慮する場合である。負荷量として例えば、噴射すべき燃料量を使用する。殊に有利であるのは、特性マップから読み出した量が、外部温度および走行中に入る空気による冷却の影響を補償するために補正係数を用いて補正される場合である。ここで補正係数は、外部温度および／および車両の走行速度に依存して設定される。有利であるのは、これらのすべての量が制御ユニット１７５で利用可能であり、したがって付加的なセンサが必要ないことである。
【００３３】
引き続きのステップ２４０では、調量の経過（Ｄｏｓｉｅｒｖｅｒｌａｕｆ）が決定される。この調量の経過は、付加的に調量される燃料量ＱＺの時間的な依存の仕方によって定められる。有利には調量中に少なくとも２つのフェーズを設ける。第１フェーズでは、付加的な量ＱＺは値０から一定の値ＱＫＺに増大する。有利にはこの増大は放物線にしたがって行われる。択一的には、線形の増大が行われるようにすることも可能である。一定値ＱＫＺは、有利には触媒コンバータの手前の温度ＴＶ、内燃機関の負荷および回転数Ｎに基づいて決定され、ここで上記の一定値ＱＫＺにまで付加的な燃料量が増大される。このことが意味するのは、これらの量、すなわち、触媒コンバータの手前の温度、触媒コンバータの後方の所望の温度、および回転数および負荷などの別の動作特性量に基づいて、付加的な燃料量ＱＺが決定されることである。この決定は有利には特性マップを用いて行われる。殊に有利であるのは、増大の初期の勾配と、ひいては増大の持続時間とが、触媒コンバータの手前の温度に依存して設定される場合である。
【００３４】
本発明の別の実施形態では、第１フェーズが経過した後、調量する量を調整して、内燃機関の動作状態が変化する場合であっても、微粒子フィルタの手前の排ガス温度が一定のままであるようにする。
【００３５】
つぎにステップ２５０では、付加的な燃料量が所定の調量の経過で調量される。付加的な燃料量ＱＺは、１つには直接排ガス路に供給することができ、また択一的には燃料調量に使用される調整素子を用いてこの燃料量を調量することも可能である。
【００３６】
ステップ２６０では触媒コンバータの手前の温度Ｔが持続的に求められる。有利にはここでも同様に特性マップまたはセンサが使用される。触媒コンバータの手前の温度が変化すると、付加的に噴射すべき燃料量ＱＺが相応して新たに計算されて補正される。
【００３７】
引き続く判定２７０でチェックされるのは、停止時間になったか否かであり、すなわちこの判定でチェックされるのは、十分な長さで付加的に燃料が供給されたか否かである。この判定を実現するためには複数の実施形態があり得る。
【００３８】
第１の簡単な実現においては、あらかじめ定めた時間の後、再生を終了する。この際に固定的にあらかじめ設定される時間または内燃機関の動作状態に依存してあらかじめ設定される時間のいずれかを選択することが可能である。付加的にステップ２４０においてタイマカウンタを０に設定し、判定２７０でこのタイマカウンタがあらかじめ設定した値を上回ったか否かがチャックされる。
【００３９】
別の実施形態では、微粒子フィルタの再生が開始された場合に、付加的な燃料の調量を終了または中断する。このために必要であるのは、微粒子フィルタにおいて開始された再生を識別することである。これは、例えば、微粒子フィルタの手前の温度ＴＮと、微粒子フィルタの後方の温度とを評価することによって行うことが可能である。微粒子フィルタの後方の温度が、微粒子フィルタの手前の温度よりも高い場合、再生が開始していると仮定することが可能である。それは再生によって、温度が上昇するからである。フィルタの後方の温度が、停止時間の開始後すぐに最大値になる場合、すすの燃焼が開始されている。したがって本発明でチェックされるのは、フィルタ後方の温度がフィルタの手前の温度よりも高いか否かがであり、この判定に依存して停止時間になったことを決定する。温度を評価するため、微粒子フィルタが周囲に与える熱放出、殊に熱放射を考慮して補正を行うことが可能である。
【００４０】
温度センサとは択一的に別のセンサ、例えば、微粒フィルタの手前および後方の圧力差分を測定する差分圧力センサ、または微粒子フィルタの手前および後方の排ガス組成を検出するセンサなど使用することも可能である。このためには殊にいわゆるラムダセンサが有利であり、これは排ガスにおける酸素濃度を検出する。微粒子フィルタの後方の酸素濃度が、微粒子フィルタの手前の酸素濃度よりも低い場合、同様に再生が開始していると仮定することができる。
【００４１】
この手段において不利であるのは、燃焼を調量している間、エンジンで形成されたＮＯのＮＯ２への変換が抑圧されることである。付加的な燃料の調量が阻止または中断されれば、酸化触媒コンバータで再度ＮＯ２が形成され、微粒子フィルタにおいて微粒子と反応して、付加的に微粒子が分解されることになる。
【００４２】
殊に有利であるのは、付加的な燃料調量を遮断した後、これを再度周期的にオンおよびオフする場合である。これによって再生中の温度の降下を阻止することが可能である。
【００４３】
図２に示した実施形態では排ガス後処理システムの温度、殊に微粒子フィルタの手前の温度の制御が、排ガス後処理システム、内燃機関および微粒子層の状態に依存して行われる。この際に微粒子フィルタの手前および後方の実際の温度が帰還結合されることはなく、別の判定に基づいて、再生を終了すべきであるか否かが決定されるだけである。例えば、内燃機関の排ガス温度に相応する、酸化触媒コンバータの手前の温度が、重要な量として考慮される。この量は、測定することも、また殊に有利には負荷および回転数などの別の動作特性量から決定することも可能である。
【００４４】
殊に有利であるのはつぎのような実施形態であり、この実施形態では、制御を構成して、微粒子フィルタの手前の温度が測定され、目標値と比較され、この比較に基づいて付加的な燃料量が決定されるようにするのである。
【００４５】
図３には、再生のために調量される付加的な量ＱＺの時間的な経過が例示的に示されている。時点ｔ１とｔ２との間の第１フェーズでは、この付加的な量は、０から一定値ＱＫＺに増大している。動作点が一定であれば、時点ｔ２までこの一定の量ＱＫＺが調量される。動作点が変化すると、調量する量は有利には適合されて、微粒子フィルタの手前の排ガス温度が一定にとどまるようにされる。時点ｔ２には停止時間になり、上記の付加的な量は０に低減される。
【００４６】
点線で示した殊に有利な実施形態では、時点ｔ３から付加的な量は、一時的に上記の一定値に設定される。
【図面の簡単な説明】
【図１】
本発明の装置のブロック図である。
【図２】
本発明の方法の流れ図である。
【図３】
付加的な量の時間経過を示す線図である。
【図２】
2004512466.tif 000003
【国際公開パンフレット】
2004512466.tif 000004
2004512466.tif 000005
2004512466.tif 000006
2004512466.tif 000007
2004512466.tif 000008
2004512466.tif 000009
2004512466.tif 000010
2004512466.tif 000011
2004512466.tif 000012
2004512466.tif 000013
2004512466.tif 000014
2004512466.tif 000015
2004512466.tif 000016
2004512466.tif 000017
2004512466.tif 000018
2004512466.tif 000019
2004512466.tif 000020
2004512466.tif 000021
2004512466.tif 000022
2004512466.tif 000023
2004512466.tif 000024
2004512466.tif 000025
【手続補正書】
【提出日】平成14年11月14日(2002.11.14)
【手続補正１】
【補正対象書類名】明細書
【補正対象項目名】特許請求の範囲
【補正方法】変更
【補正の内容】
【特許請求の範囲】
【請求項１】
例えば内燃機関における排ガス後処理システムを制御する方法であって、
該排ガス後処理システムの状態を特徴付ける少なくとも１つの状態量を求め、
該状態量に依存して特別モード状態を開始する形式の、内燃機関における排ガス後処理システムを制御する方法において、
排ガス後処理システムの温度を、当該排ガス後処理システムおよび／または内燃機関の状態に依存して制御または調整し、
排ガスに未燃焼の燃料を供給して、第１フェーズでは排ガスにおける未燃焼の燃料の量が時間の経過と共に増大し、第２フェーズでは排ガスにおける未燃焼の燃料の量が一定値をとるようにすることを特徴とする、
排ガス後処理システムを制御する方法。
【請求項２】
第１および／第２フェーズの持続時間をあらかじめ設定する、
請求項１に記載の方法。
【請求項３】
再生が開始された場合、第２フェーズを終了する、
請求項１または２に記載の方法。
【請求項４】
第３フェーズでは未燃焼の燃料の量を、一時的に前記一定値に設定する、
請求項１から３までのいずれか１項に記載の方法。
【請求項５】
前記一定値を、回転数、噴射すべき燃料量および／または排ガス後処理システムの手前の温度に依存して設定する、
請求項１から４までのいずれか１項に記載の方法。
【請求項６】
排ガス後処理システムの手前および後方の温度および／または排ガス組成に基づいて再生の開始を識別する、
請求項１から５までのいずれか１項に記載の方法。
【請求項７】
例えば内燃機関における排ガス後処理システムを制御する装置であって、
該排ガス後処理システムの状態を特徴付ける少なくとも１つの状態量が求められ、
該状態量に依存して特別モード状態が開始される形式の、内燃機関における排ガス後処理システムを制御する装置において、
排ガス後処理システムの温度を、当該排ガス後処理システムおよび／または内燃機関の状態に依存して制御または調整する手段が設けられており、
排ガスに未燃焼の燃料を供給して、第１フェーズでは排ガスにおける未燃焼の燃料の量が時間の経過と共に増大し、第２フェーズでは排ガスにおける未燃焼の燃料の量が一定の値をとるようにする手段が設けられていることを特徴とする、
内燃機関における排ガス後処理システムを制御する装置。
【国際調査報告】
2004512466.tif 000026
2004512466.tif 000027
2004512466.tif 000028
2004512466.tif 000029
2004512466.tif 000030
2004512466.tif 000031